【事件の表示】
　特許第５７８０３０８号発明「電池」の特許異議申立事件について、次のとおり決定する。
【結　論】
　特許第５７８０３０８号の請求項に係る特許を維持する。
【理　由】
１　手続の経緯
　特許第５７８０３０８号の請求項１〜４に係る特許についての出願は、２０１１年９月２７日を国際出願日とする出願であって、平成２７年７月２４日にその特許権の設定登録がなされ、その後、その特許に対し、特許異議申立人大佐田宏良により特許異議の申立てがなされたものである。
２　本件発明
　特許第５７８０３０８号の請求項１〜４に係る発明（以下、それぞれ「本件特許発明１」〜「本件特許発明４」という。）は、その特許請求の範囲の請求項１〜４に記載された事項により特定される次のとおりのものである。
「【請求項１】
　　開口を有し、この開口をなす開口縁部を含むケース本体部材、及び、
　　自身を貫通する貫通孔を有し、上記ケース本体部材の上記開口縁部に自身の周縁部を結合させて、上記開口を封口するケース蓋部材からなる
　電池ケースと、
　　上記貫通孔に挿通された軸部、及び、
　　上記電池ケースの外側で上記軸部に連なり、上記軸部より径大な外鍔部を有し、
　上記貫通孔に係合するリベットと、
　環状で熱可塑性樹脂又はゴム状弾性体からなるガスケットと、を備え、
　上記電池ケースの外側を向く上記ケース蓋部材の外表面のうち上記貫通孔の周縁に位置する周縁外表面と上記リベットの上記外鍔部との間に、これらに密着する上記ガスケットを介在させて、上記貫通孔を気密に封止してなる電池であって、
　上記ケース蓋部材は、
　　自身の上記周縁部を上記ケース本体部材の上記開口縁部に結合させた状態において、
上記周縁外表面が、上記周縁部から上記貫通孔の軸線に沿い外側を向く軸線外側方向に突出し、上記周縁部及び上記開口縁部よりも、上記貫通孔の軸線に沿い外側を向く軸線外側方向に位置する形態を有する
電池。
　　【請求項２】
請求項１に記載の電池であって、
　前記電池ケースよりも前記軸線の径方向外側から、上記軸線の径方向内側に向かって、上記電池ケースを観察したとき、前記周縁外表面と前記外鍔部との間に介在した状態における前記ガスケットの外周面のうち、上記周縁外表面に接する端縁である外表面側端縁を視認しうる位置を、第１位置とし、
　上記電池ケースよりも上記軸線の径方向外側で、上記第１位置と上記軸線の周方向について同じ角度位置で、上記第１位置よりも上記軸線外側方向の位置から、上記軸線の径方向内側に向かって、上記電池ケースを観察したとき、上記周縁外表面と上記外鍔部との間に介在した状態における上記ガスケットの上記外周面のうち、上記外鍔部に接する端縁である外鍔部側端縁を視認しうる位置を、第２位置としたとき、
　上記電池ケースの上記ケース本体部材及び上記ケース蓋部材、並びに、上記リベットの上記外鍔部は、
　上記第１位置及び上記第２位置が存在する形態とされてなる
電池。
　　【請求項３】
請求項２に記載の電池であって、
　前記ケース蓋部材の前記周縁外表面は、
　　前記軸線に直交する平坦な面であり、
　前記リベットの前記外鍔部のうち、上記周縁外表面と対向する外鍔部内側面は、前記ガスケットに当接する当接部を含み、
　上記外鍔部内側面のうち、少なくとも上記当接部は、
　　上記軸線に直交する平坦な面である
電池。
　　【請求項４】
請求項２または請求項３に記載の電池であって、
　前記リベットの前記外鍔部は、
　　前記ガスケットの前記外鍔部側端縁よりも径方向外側の部位が、全周に亘り、上記外鍔部側端縁よりも前記軸線外側方向に位置する形態とされてなる
電池。」　
３　申立理由の概要
　特許異議申立人大佐田宏良は、主たる証拠として特開２０１０−２７７９３６号公報（以下、「刊行物１」という。）、並びに、従たる証拠として特開平９−１２９２１５号公報（以下、「刊行物２」という。）、特開平１１−１３５０８２号公報（以下、「刊行物３」という。）、特開２００８−７８０５３号公報（以下、「刊行物４」という。）、及び、実願昭５７−１４０６４０号（実開昭５９−４４０２７号）のマイクロフィルム（以下、「刊行物５」という。）を提出し、請求項１〜４に係る特許は、特許法第２９条第２項の規定に違反してなされたものであるから、請求項１〜４に係る特許を取り消すべきものである旨主張している。
４　刊行物の記載
（１）刊行物１の記載
　刊行物１には、次の事項が記載されている（下線は当審で付した。）。
ア　発明の詳細な説明の記載
「【技術分野】
【０００１】
  本発明は、電解液注入孔をパッキン（ガスケット）を介在させてブラインドリベットで封止するようにした密閉電池に関し、特に、電解液注入工程の際に電解液注入孔の周縁部表面に付着残留した電解液が、電解液注入孔の周縁部表面とガスケットとの間から浸み出すことを抑制できるようにした密閉電池に関する。
【背景技術】
【０００２】
  携帯電話機、携帯型パーソナルコンピュータ、携帯型音楽プレイヤー等の携帯型電子機器の駆動電源には、ニッケル水素電池に代表されるアルカリ二次電池やリチウムイオン電池に代表される非水電解質二次電池などの密閉電池が多く使用されている。
【０００３】
  
従来の一般的な密閉電池５０は、図５に示されるように、電極体等の発電要素が収容された外装缶１と、外装缶１の上方開口部を封口する封口板２と
を備えている
封口板２には、
電解液注入孔５が設けられている
【０００４】
  なお、図５においては、電解液注入孔５は直接示されておらず、電解液注入孔５を封止するブラインドリベット（以下単に「リベット」という）６の鍔部のみが示されている。このように、電解液注入孔５はリベット６により開口を封止されており、これにより、注入した電解液が外装缶１から漏れ出さないようにされている（例えば特許文献１、２参照）。
【０００５】
  このような従来例の密閉電池におけるリベットによる電解液注入孔の封止構造を図６に示す。なお、図６Ａは従来例の密閉電池５０の平面図であり、図６Ｂは図６ＡのVIB−VIB線で示される電解液注入孔付近の断面図であり、図６Ｃは注液口に取り付けられたリベットをカシメる前の図６Ｂに対応する部分の断面図である。この
電解液注入孔５の周縁部表面には、電解液注入孔５を取り囲むようにして缶軸方向にせり出す環状凸部７が形成されている
【０００６】
  図６Ｂに示されているように、
リベット６は、
電解液注入孔５に挿通された軸部６ａと、電解液注入孔５の周縁部表面を覆う鍔部６ｂと、かしめ部６ｃを有しており、鍔部６ｂと封口板２との間に環状のガスケット８を挟んで封口板２にカシメ固定されている
このガスケット８の内周部分８ａは環状凸部７とリベット６の鍔部６ｂにより部分的に強く圧縮されているため、電解液注入孔５のシール性が高く維持されている
【０００７】
  なお、このリベット６のカシメ部６ｃの形成は、例えば下記特許文献２にも開示されているように、以下のようにして行われる。すなわち、図６Ｃに示したように、先端に拡径部６ｄが、この拡径部６ｄの上部に縮径部６ｅがそれぞれ形成されたステンレススチール製の芯軸部６ｆが内部に配置されていると共に鍔部６ｂが形成されたリベット６を用意する。このリベット６は、電解液注入口５内に挿入される筒状の軸部６ａを有し、軸部６ａの先端部は袋状となっている。この
リベット６の軸部６ａの外周に環状のガスケット８を嵌合させ
【０００８】
  次いで、リベット６の鍔部６ｂを封口板２側に押圧しながら芯軸部６ｆを上方に引っ張ると、芯軸部６ｆの先端の拡径部６ｄが上方に移動するので、リベット６の軸部６ａの先端の袋状の部分が拡径してカシメ部６ｃが形成され、リベット６が電解液注入孔５内に固定されるとともに、リベット６の芯軸部６ｆが拡径部６ｄの上部に形成された縮径部６ｅで切断される。その結果、リベット６によって電解液注入口５を液密に封止することができるようになる。なお、図６Ｂにおいては、本来リベット６の内部には空隙が形成されていると共に、芯軸部６ｆの拡径部６ｄが残留しているが、図示省略してある。」
「【発明の概要】
【発明が解決しようとする課題】
【００１０】
  上述のように、電解液注入孔５の周縁部表面に環状凸部７を形成すると、この環状凸部７とガスケット８の内周部分８ａは環状凸部７とリベット６の鍔部６ｂにより部分的に強く圧縮されるので、電解液注入孔５のシール性が高まる。しかしながら、図６Ｂに示したように、環状凸部７で部分的に圧縮されていないガスケットの外周部分８ｂが下方へと屈曲し、側端部のみが封口板２に当接した状態となる場合がある。そうするとガスケットの外周部分８ｂと封口板２の表面との間に密閉空間Ｓが形成されてしまう。
【００１１】
  通常、電解液の注入工程においては電解液注入孔５の周縁部表面に電解液が付着して残
留するため、この付着した電解液を除去するために電解液注入孔５の封止後に洗浄が行われるが、上記密閉空間Ｓ内に電解液が残留した場合にはかかる洗浄によって除去することができない。しかも、洗浄後にも密閉空間Ｓに残留した電解液は、洗浄工程後に徐々にガスケット８の外側に浸み出てくるので、ガスケット８の外側に変色部が生じてしまい、密閉電池１０の外観を損ねる要因となる。」
イ　図面の記載
「【図５】
　　　　　　　　　　　　　　　　　　　　　　　　　　　　　　　　　」
「【図６】
　　　　　　　　　　　　　　　　　　　　　　　　　　　　　　　　　」
ウ　上記アの記載事項の【０００３】〜【０００４】には、「従来の一般的な密閉電池５０」についての記載があり、この記載に続き、上記アの記載事項の【０００５】〜【０００８】には、「このような従来例の密閉電池におけるリベットによる電解液注入孔の封止構造」が記載されているから、【０００３】〜【０００４】の記載と【０００５】〜【０００８】の記載とは、同じ密閉電池５０についての記載であるということができる。
エ　「密閉電池５０」は、上記アの記載事項の【０００３】より、上方開口部を有する外装缶１と、外装缶１の上方開口部を封口し、電解液注入孔５が設けられている封口板２とを備えているといえる。
オ　「密閉電池５０」は、上記イの記載事項の図６Ｂより、リベット６の軸部６ａは鍔部６ｂにつながっていることが視認できるところ、上記アの記載事項の【０００７】の「リベット６の軸部６ａの外周に環状のガスケット８を嵌合させ」るとの記載、及び、上記アの記載事項の【０００６】の「鍔部６ｂと封口板２との間に環状のガスケット８を挟んで封口板２にカシメ固定されている」との記載からすると、リベット６の軸部６ａは封口板２の上方まで伸びているといえるから、リベット６の軸部６ａが鍔部６ｂとつながっている箇所は、封口板２の上方であるといえる。
カ　「密閉電池５０」は、上記アの記載事項の【０００６】及びオより、電解液注入孔５に挿通された軸部６ａと、電解液注入孔５の周縁部表面を覆い、軸部６ａと封口板２の上方でつながっている鍔部６ｂと、かしめ部６ｃを有しており、鍔部６ｂと封口板２との間に環状のガスケット８を挟んで封口板２にカシメ固定されているリベット６を備えているといえる。
キ　「密閉電池５０」は、上記アの記載事項の【０００５】より、電解液注入孔５を取り囲むようにして缶軸方向にせり出す環状凸部７が形成されており、かつ、上記エより、電解液注入孔５は封口板２に設けられているから、電解液注入孔５を取り囲むようにして缶軸方向にせり出す、封口板２に設けられた環状凸部７を備えているといえる。
ク　「密閉電池５０」は、上記アの記載事項の【０００６】より、ガスケット８の内周部分８ａは環状凸部７とリベット６の鍔部６ｂにより部分的に強く圧縮されているため、電解液注入孔５のシール性が高く維持されているといえる。
ケ　上記ウ〜クから、刊行物１には、次の発明（以下、「引用発明」という。）が記載されていると認められる。
「上方開口部を有する外装缶１と、外装缶１の上方開口部を封口し、電解液注入孔５が設けられている封口板２とを備え、
　電解液注入孔５に挿通された軸部６ａと、電解液注入孔５の周縁部表面を覆い、軸部６ａと封口板２の上方でつながっている鍔部６ｂと、かしめ部６ｃを有し、鍔部６ｂと封口板２との間に環状のガスケット８を挟んで封口板２にカシメ固定されているリベット６を備え、
　電解液注入孔５を取り囲むようにして缶軸方向にせり出す、封口板２に設けられた環状凸部７を備え、
　ガスケット８の内周部分８ａは環状凸部７とリベット６の鍔部６ｂにより部分的に強く圧縮されているため、電解液注入孔５のシール性が高く維持されている、
密閉電池５０。」
（２）刊行物２の記載
　刊行物２には、次の事項が記載されている（下線は当審で付した。）。
ア　発明の詳細な説明の記載
「【０００１】
【発明の属する技術分野】この発明は、蓄電池に関し、特に、蓄電池の蓋の構造に関するものである。
【０００２】
【従来の技術】従来から、蓄電池は広く知られている。図４は、従来の蓄電池の一例を示す斜視図である。図４を参照して、
蓄電池１は、電槽（二点鎖線で示す）と、蓋６とを備える
蓋６の上面には、
ねじ部２が
形成される
【０００３】次に、図５および図６を用いて、上記のねじ部２に螺合されていた従来の液口栓４について説明する。図５は、
電解液の漏れ防止用のゴムパッキン５を有する
液口栓４をねじ部２に螺着している
イ　図面の記載
「【図４】
　　　　　　　　　　　　　　　　　　　　　　　　　　　　　　　　　」
「【図５】
　　　　　　　　　　　　　　　　　　　　　　　　　　　　　　　　　」
ウ　上記アの記載事項の【０００２】及び【０００３】には、図４〜６を引用して「蓄電池１」について説明されているから、上記イの記載事項の図４及び図５に示されたものも、「蓄電池１」に関するものであることは明らかである。
エ　「蓄電池１」に関し、上記アの記載事項の【０００２】には、「蓄電池１は、電槽（二点鎖線で示す）と、蓋６とを備える」と記載されているから、上記イの記載事項の図４において、蓋６の下方に設けられ、二点鎖線で示された略直方体のものが「電槽」であると認められる。
　そして、「蓄電池１」は、上記イの記載事項の図４からすると、電槽の開口縁部が蓋６の上面よりもねじ部２の上面２ａの突出方向にあることはありえないから、ねじ部２の上面２ａが、蓋６の上面から突出しており、蓋６の上面と同じ高さの蓋６の周縁部及び電槽の開口縁部よりも、ねじ部２の軸線に沿い電槽の外側を向く軸線外側方向に位置することが視認できるといえる。
オ　「蓄電池１」は、上記アの記載事項の【０００２】及び【０００３】より、電槽と蓋６を備える蓄電池１において、蓋６の上面には、電解液の漏れ防止用のゴムパッキン５を有する液口栓４が螺合されるねじ部２が形成されるものといえる。
カ　上記エ及びオからすると、刊行物２には以下の事項が記載されている。
「電槽と蓋６を備える蓄電池１において、蓋６の上面には、電解液の漏れ防止用のゴムパッキン５を有する液口栓４が螺合されるねじ部２が形成され、
　ねじ部２の上面２ａが、蓋６の上面から突出しており、蓋６の上面と同じ高さの蓋６の周縁部及び電槽の開口縁部よりも、ねじ部２の軸線に沿い電槽の外側を向く軸線外側方向に位置する事項。」
（３）刊行物３の記載
　刊行物３には、次の事項が記載されている（下線は当審で付した。）。
ア　発明の詳細な説明の記載
「【０００５】
【発明が解決しようとする課題】ところで、角形電池と円筒形電池とでは、電解液の注入方法が大きく異なり、円筒形電池の場合、予め電解液を注入した後に蓋体を取り付けて密閉するのに対して、角形電池の場合、蓋体や外装缶に電解液注入口を設けておき、蓋体を取り付けた後にこの注入口から電解液を注入するという方法が採用されている。
【０００６】例えば、角形密閉式電池では、発電要素を内蔵した金属製の外装缶の開口部に金属製の蓋体をレーザにより溶接して固定し、蓋体に設けた注液口から電解液を注入した後、注液口を溶接封口するという方法が広く行われている。このとき、封口の方法としては、金属球を押圧して抵抗溶接する方法が一般的である。
【０００７】しかしながら、蓋体の注液口に金属球を押圧して抵抗溶接する方法では、溶接部に微小なピンホールが発生して、電池を密閉できない場合がある。
【０００８】この原因としては、注液口に金属球を押圧したときに蓋体が変形し、溶融した金属が均一に周囲に広がらず偏りを生ずることが挙げられる。
【０００９】これを解消するために、溶接封口工程において、押圧力や溶接条件を調整したり、蓋体の板厚を大きくして蓋体の変形を抑えることが考えられるが、前者では例えば製造現場で電池の機種毎に条件設定をしなければならず煩雑であるという問題が、後者では電池重量が増大するという問題がある。
【００１０】本発明は、このような従来の実情に鑑みて提案されたものであって、工数の増加や電池重量の増大をもたらすことなく、封口工程における溶接不良を確実に防止することができる角形密閉式電池を提供することを目的とする。
【００１１】
【課題を解決するための手段】上述の目的を達成するために、本発明は、外装缶内に発電要素を収容し、蓋体により密閉してなる角形密閉式電池において、上記外装缶または蓋体に電解液の注入口が設けられ、上記外装缶または蓋体の注入口形成部分が外方に向かって突出する突部とされていることを特徴とするものである。
【００１２】
外装缶または蓋体の注入口形成部分を突部とすることにより、この部分の強度が確保され、溶接封口工程で電極に押圧されることによる変形が抑えられる
【００１３】
【発明の実施の形態】以下、本発明を適用した電池の構成について、図面を参照しながら詳細に説明する。
【００１４】図１は、本発明を適用した角形密閉式電池の一例を示すものである。この電池の基本構造は通常の角形密閉式電池と同じであり、外装缶１内に発電要素（正極及び負極をセパレータを介して積層したもの。図示は省略する。）を収容し、当該
外装缶１の開口部を蓋板２で塞いでなる
【００１５】上記
蓋板２は、
電解液の注入口５とを備える
【００１６】そして、この蓋板２の端子孔４には、ガスケット６を介して端子３が挿入され、先端をかしめることで蓋板２に固定一体化され、電池の一方の電極を構成している。例えば、電池缶１内に収容される発電要素のうちの正極と電気的に接続することで、正極端子として機能する。
【００１７】なお、端子３の取り付け構造はこれに限られるものではなく、蓋板２に対して電気的な絶縁が保たれ、電池内部の密閉を保つような構造であれば構わない。また、蓋板２の作製方法も、上記絞り加工に限定されるものではなく、任意の作製方法を採用することができる。
【００１８】一方、
電解液の注入口５の周縁の形状は、外方（図中上方）に向かって突出する凸形状とされており、この蓋板２の突部７に注入口５が形成された形になっている
【００１９】上記蓋板２の突部７は、例えば蓋板２を外装缶１の開口部に合わせて絞り加工する際に同時に形成することができ、機械加工により蓋板２を叩き出すことにより容易に形成することができる。
【００２０】また、上記突部７の形状は任意であるが、ここでは円錐台形状とし、その中心に注入口５が形成されるようにした。
【００２１】上述の
電池を作製する際には、
蓋板２に設けた注入口５より電解液を注入し
後、
注入口５に金属球８を載せ、電極棒９で押圧しながら電流を流し、金属球８を溶かして溶接封口する
イ　図面の記載
「【図１】
　　　　　　　　　　　　　　　　　　　　　　　　　　　　　　　　　」
ウ　上記アの記載事項の【０００５】〜【００２１】には、「角形密閉式電池」に関することが記載されており、これらの記載から、上記イの記載事項の図１に示されたものも、「角形密閉式電池」に関するものであるといえる。
エ　「角形密閉式電池」は、上記アの記載事項の【００１４】及び【００１５】より、外装缶１の開口部を蓋板２で塞いでなる角形密閉式電池において、蓋板２は、電解液の注入口５を備えるものといえる。
オ　上記アの記載事項の【００１８】の「外方（図中上方）に向かって突出する凸形状」は、上記アの記載事項の【００１２】からすると、外装缶または蓋体の注入口形成部分の部分の強度が確保され、溶接封口工程で電極に押圧されることによる変形が抑えられるためのものといえる。
　そうすると、「角形密閉式電池」は、強度を確保し、溶接封口工程で電極に押圧されることによる変形を抑えるために、電解液の注入口５の周縁の形状は、外方に向かって突出する凸形状とされており、この蓋板２の突部７に注入口５が形成された形になっているものといえる。
カ　「角形密閉式電池」は、上記アの記載事項の【００２１】より、電池を作製する際には、蓋板２に設けた注入口５より電解液を注入した後、注入口５に金属球８を載せ、電極棒９で押圧しながら電流を流し、金属球８を溶かして溶接封口するものといえる。
キ　「角形密閉式電池」に関し、上記イの記載事項の図１から、突部７は、蓋板の上面と同じ高さの蓋板２の周縁部及び外装缶１の開口縁部よりも、注入口５の軸線に沿い外側を向く軸線外側方向に位置することが視認できる。
ク　上記エ〜キからすると、刊行物３には以下の事項が記載されている。
「外装缶１の開口部を蓋板２で塞いでなる角形密閉式電池において、蓋板２は、電解液の注入口５を備え、
　強度を確保し、溶接封口工程で電極に押圧されることによる変形を抑えるために、電解液の注入口５の周縁の形状は、外方に向かって突出する凸形状とされており、
　この蓋板２の突部７に注入口５が形成された形になっており、突部７は、蓋板の上面と同じ高さの蓋板２の周縁部及び外装缶１の開口縁部よりも、注入口５の軸線に沿い外側を向く軸線外側方向に位置し、
　電池を作製する際には、蓋板２に設けた注入口５より電解液を注入した後、注入口５に金属球８を載せ、電極棒９で押圧しながら電流を流し、金属球８を溶かして溶接封口する事項。」
（４）刊行物４の記載
　刊行物４には、次の事項が記載されている（下線は当審で付した。）。
ア　発明の詳細な説明の記載
「【０００１】
  本発明は、電槽蓋の注液口に螺着して装着する液栓を備えた鉛蓄電池に関するものである。
【背景技術】
【０００２】
  従来の自動車用の液式の鉛蓄電池の一例を図４に示す。この
鉛蓄電池は、電槽１の上端開口部を電槽蓋２で塞いだものである
【０００３】
  上記
電槽蓋２には、６箇所の注液口２ａが開口している
【０００４】
  上記
注液口２ａには、液栓５が装着される。液栓５は、上端部の円盤状の頭部５ａと、この頭部５ａの下方に突出する筒部５ｂと、この筒部５ｂの上部外周に形成された雄ねじ部５ｃとからなる
【０００５】
  上記構成の
液栓５は、図５（ａ）に示すように、筒部５ｂを電槽蓋２の注液口２ａに挿入し、頭部５ａを回すことにより雄ねじ部５ｃを注液口２ａの雌ねじ部２ｂにねじ込んで装着する。そして、これにより、液栓５は、図５（ｂ）に示すように、頭部５ａをパッキン６を介して注液口２ａの周縁部に圧接することにより封口する
イ　図面の記載
「【図４】
　　　　　　　　　　　　　　　　　　　　　　　　　　　　　　　　　」
「【図５】
　　　　　　　　　　　　　　　　　　　　　　　　　　　　　　　　　」
ウ　上記アの記載事項の【０００２】〜【０００５】には、「鉛蓄電池」に関することが記載されており、これらの記載から、上記イの記載事項の図４及び図５に示されたものも、「鉛蓄電池」に関するものであるといえる。
エ　「鉛蓄電池」は、上記アの記載事項の【０００２】から、電槽１の上端開口部を電槽蓋２で塞いだ鉛蓄電池であるといえる。
オ　「鉛蓄電池」は、上記アの記載事項の【０００３】から、電槽蓋２には、６箇所の注液口２ａが開口しているものといえる。
カ　「鉛蓄電池」は、上記アの記載事項の【０００４】から、液栓５が、上端部の円盤状の頭部５ａと、この頭部５ａの下方に突出する筒部５ｂと、この筒部５ｂの上部外周に形成された雄ねじ部５ｃとからなるものといえる。
キ　「鉛蓄電池」は、上記アの記載事項の【０００５】から、液栓５が、筒部５ｂを電槽蓋２の注液口２ａに挿入し、頭部５ａを回すことにより雄ねじ部５ｃを注液口２ａの雌ねじ部２ｂにねじ込んで装着し、頭部５ａをパッキン６を介して注液口２ａの周縁部に圧接することにより封口するものといえる。
ク　「鉛蓄電池」は、上記イの記載事項の図４からすると、電槽蓋２の注入口２ａの周辺部が、電槽蓋２の表面よりも突出しており、電槽蓋２の上面と同じ高さの電槽蓋２の周縁部及び電槽１の開口縁部よりも、注入口２ａの軸線に沿い電槽蓋２の外側を向く軸線外側方向に位置することが視認できる。
ケ　上記エ〜クからすると、刊行物４には以下の事項が記載されている。
「電槽１の上端開口部を電槽蓋２で塞いだ鉛蓄電池において、電槽蓋２には、６箇所の注液口２ａが開口しており、
　注液口２ａには、液栓５が装着され、液栓５は、上端部の円盤状の頭部５ａと、この頭部５ａの下方に突出する筒部５ｂと、この筒部５ｂの上部外周に形成された雄ねじ部５ｃとからなり、液栓５は、筒部５ｂを電槽蓋２の注液口２ａに挿入し、頭部５ａを回すことにより雄ねじ部５ｃを注液口２ａの雌ねじ部２ｂにねじ込んで装着し、頭部５ａをパッキン６を介して注液口２ａの周縁部に圧接することにより封口し、
　電槽蓋２の注入口２ａの周辺部は、電槽蓋２の表面よりも突出しており、電槽蓋２の上面と同じ高さの電槽蓋２の周縁部及び電槽１の開口縁部よりも、注入口２ａの軸線に沿い電槽蓋２の外側を向く軸線外側方向に位置する事項。」
５　対比・判断
（１）本件特許発明１について
　まず、本件特許発明１と引用発明とを対比する。
（ア）引用発明の「上方開口部を有する外装缶１」、「外装缶１の上方開口部を封口」する「封口板２」、「電解液注入孔５」、「封口板２に設けられた環状凸部７」及び「密閉電池５０」は、本件特許発明１の「開口を有」する「ケース本体部材」、「ケース本体部材」の「開口を封口するケース蓋部材」、「貫通孔」、「ケース蓋部材」の「貫通孔の周縁に位置する周縁外表面」及び「電池」にそれぞれ相当する。
（イ）引用発明の「外装缶１」及び「封口板２」の両方で、本件特許発明１の「電池ケース」に相当する。
　また、引用発明の「外装缶１」は、「上方開口部を有する」からその開口部に開口縁部を含むことは明らかである。
　さらに、引用発明の「外装缶１の上方開口部を封口」する「封口板２」は、「外装缶１」の開口縁部に自身の周縁部を結合させていることは自明である。
　そうすると、引用発明の「上方開口部を有する外装缶１と、外装缶１の上方開口部を封口し、電解液注入孔５が設けられている封口板２とを備えて」いることは、本件特許発明１の「開口を有し、この開口をなす開口縁部を含むケース本体部材、及び、自身を貫通する貫通孔を有し、上記ケース本体部材の上記開口縁部に自身の周縁部を結合させて、上記開口を封口するケース蓋部材からなる電池ケース」「を備え」ていることに他ならない。
（ウ）引用発明の「リベット６」の「電解液注入孔５に挿通された軸部６ａ」は、本件特許発明１の「リベット」の「貫通孔に挿通された軸部」に相当する。
（エ）引用発明の「リベット６」の「鍔部６ｂ」は、「軸部６ａと封口板２の上方でつながっている」から、本件特許発明１の「電池ケースの外側で上記軸部に連な」る構成を有する。
　また、引用発明の「リベット６」の「鍔部６ｂ」は、「電解液注入孔５の周縁部表面を覆」うものであって、「電解液注入孔５に挿通された軸部６ａ」よりも径大であるといえるから、本件特許発明１の「軸部より径大な」構成を有する。
　そうすると、引用発明の「リベット６」の「電解液注入孔５の周縁部表面を覆い、軸部６ａと封口板２の上方でつながっている鍔部６ｂ」は、本件特許発明１の「リベット」の「電池ケースの外側で上記軸部に連なり、上記軸部より径大な外鍔部」に相当する。
（オ）引用発明の「リベット６」は、「電解液注入孔５に挿通された軸部６ａと、」「軸部６ａと封口板２の上方でつながっている鍔部６ｂと、かしめ部６ｃを有し、」「封口板２にカシメ固定されている」ものであるから、本件特許発明１の「貫通孔に係合する」構成を有する。
（カ）上記（ウ）〜（オ）より、引用発明の「電解液注入孔５に挿通された軸部６ａと、電解液注入孔５の周縁部表面を覆い、軸部６ａと封口板２の上方でつながっている鍔部６ｂと、かしめ部６ｃを有し、鍔部６ｂと封口板２との間に」「封口板２にカシメ固定されているリベット６を備え」ていることは、本件特許発明１の「貫通孔に挿通された軸部、及び、上記電池ケースの外側で上記軸部に連なり、上記軸部より径大な外鍔部を有し、上記貫通孔に係合するリベット」「を備え」ることに相当する。
（キ）引用発明の「環状のガスケット８」と、本件特許発明１の「環状で熱可塑性樹脂又はゴム状弾性体からなるガスケット」とは、「環状」の「ガスケット」である点で一致する。
（ク）引用発明の「電解液注入孔５を取り囲むようにして缶軸方向にせり出す、封口板２に設けられた環状凸部７を備え、ガスケット８の内周部分８ａは環状凸部７とリベット６の鍔部６ｂにより部分的に強く圧縮されている」ことにおいて、「ガスケット８の内周部分８ａ」が「環状凸部７とリベット６の鍔部６ｂにより」「強く圧縮されている」のは「部分的」ではあるが、引用発明と本件特許発明１とは、「貫通孔の周縁に位置する周縁外表面と上記リベットの上記外鍔部との間に、これらに密着する上記ガスケットを介在させ」ることで共通するものといえるから、引用発明の「電解液注入孔５を
取り囲むようにして缶軸方向にせり出す、封口板２に設けられた環状凸部７を備え、ガスケット８の内周部分８ａは環状凸部７とリベット６の鍔部６ｂにより部分的に強く圧縮されている」ことは、本件特許発明１の「電池ケースの外側を向く上記ケース蓋部材の外表面のうち上記貫通孔の周縁に位置する周縁外表面と上記リベットの上記外鍔部との間に、これらに密着する上記ガスケットを介在させ」ることに含まれる。
（ケ）引用発明の「電解液注入孔５のシール性が高く維持されている」ことは、本件特許発明１の「貫通孔を気密に封止してなる」ことに相当する。
（コ）引用発明の「環状凸部７」が、「封口板２」の周縁部及び「外装缶１の上方開口部」よりも、「電解液注入孔５」の軸線に沿い外側を向く軸線外側方向に位置するか否か、すなわち、引用発明が、本件特許発明１の「ケース蓋部材は、自身の上記周縁部を上記ケース本体部材の上記開口縁部に結合させた状態において、」「周縁部及び上記開口縁部よりも、上記貫通孔の軸線に沿い外側を向く軸線外側方向に位置する形態を有する」ことを含むものか否かを、以下、検討する。
　引用発明は、「上方開口部を有する外装缶１と、外装缶１の上方開口部を封口し、電解液注入孔５が設けられている封口板２とを備えて」いるものであるが、「外装缶１」と「封口板２」とがどのように結合しているのか不明であるから、「環状凸部７」と「封口板２」の周縁部及び「外装缶１の上方開口部」との「電解液注入孔５」の軸線に沿う位置関係が不明である。
　すなわち、刊行物１には、図５が「従来の密閉電池の全体外観図である」（【００２７】）と記載されているものの、図５は明らかに細部を正確に表現した図ではないし、引用発明において、例えば、特開２０１１−７６８６５号公報（図１及び図４参照。）や特開２０１１−２１２７１１号公報（図１〜３参照。）に示されているように、「封口板２」の外縁部が突出しているのか、それとも、特開２０１２−７９４７６号公報の図１及び図２に示されているように、「封口板２」の外縁部が平坦であるのか、「外装缶１」と「封口板２」とが具体的にどのように結合しているのか不明であるから、引用発明は、「環状凸部７」と「封口板２」の周縁部及び「外装缶１の上方開口部」との「電解液注入孔５」の軸線に沿う位置関係が不明である。
　そうすると、引用発明は、本件特許発明１の「ケース蓋部材は、自身の上記周縁部を上記ケース本体部材の上記開口縁部に結合させた状態において、」「周縁部及び上記開口縁部よりも、上記貫通孔の軸線に沿い外側を向く軸線外側方向に位置する形態を有する」ことを含むとまではいえないが、引用発明は、「電解液注入孔５を取り囲むようにして缶軸方向にせり出す、封口板２上に設けられた環状凸部７を備え」るものであるから、本件特許発明１の「ケース蓋部材は、自身の上記周縁部を上記ケース本体部材の上記開口縁部に結合させた状態において、上記周縁外表面が、」「上記貫通孔の軸線に沿い外側を向く軸線外側方向」に突出することを含むものである。
　上記（ア）〜（コ）によれば、本件特許発明１と引用発明とは、
「開口を有し、この開口をなす開口縁部を含むケース本体部材、及び、
　　自身を貫通する貫通孔を有し、上記ケース本体部材の上記開口縁部に自身の周縁部を結合させて、上記開口を封口するケース蓋部材からなる
　電池ケースと、
　　上記貫通孔に挿通された軸部、及び、
　　上記電池ケースの外側で上記軸部に連なり、上記軸部より径大な外鍔部を有し、
　上記貫通孔に係合するリベットと、
　環状のガスケットと、を備え、
　上記電池ケースの外側を向く上記ケース蓋部材の外表面のうち上記貫通孔の周縁に位置する周縁外表面と上記リベットの上記外鍔部との間に、これらに密着する上記ガスケットを介在させて、上記貫通孔を気密に封止してなる電池であって、
　上記ケース蓋部材は、
　　自身の上記周縁部を上記ケース本体部材の上記開口縁部に結合させた状態において、
上記周縁外表面が、上記貫通孔の軸線に沿い外側を向く軸線外側方向に突出する
電池。」で一致し、以下ア及びイの点で相違する。
（相違点）
ア　「ガスケット」が、本件特許発明１では、「熱可塑性樹脂又はゴム状弾性体からなる」のに対し、引用発明では、どのような材料からなるか不明である点。
イ　「ケース蓋部材は、自身の上記周縁部を上記ケース本体部材の上記開口縁部に結合させた状態において、」本件特許発明１では、「周縁外表面が、上記周縁部から上記貫通孔の軸線に沿い外側を向く軸線外側方向に突出し、上記周縁部及び上記開口縁部よりも、上記貫通孔の軸線に沿い外側を向く軸線外側方向に位置する形態を有する」のに対し、引用発明では、「環状凸部７」が、「電解液注入孔５を取り囲むようにして缶軸方向にせり出」しているものの、「封口板２」の周縁部との位置関係が不明であり、該周縁部及び「外装缶１の上方開口部」よりも、「電解液注入孔５」の軸線に沿い外側を向く軸線外側方向に位置する形態を有するか不明である点。
　以下、上記ア及びイの相違点について検討するに、まず上記イの相違点から検討する。
　刊行物２には、「電槽と蓋６を備える蓄電池において、蓋６の上面には、電解液の漏れ防止用のゴムパッキン５を有する液口栓４が螺合されるねじ部２が形成され、ねじ部２の上面２ａが、蓋６の上面から突出しており、蓋６の上面と同じ高さの蓋６の周縁部及び電槽の開口縁部よりも、ねじ部２の軸線に沿い電槽の外側を向く軸線外側方向に位置する事項」（上記「４」「（２）」「カ」参照。）が記載されている。
　ここで、刊行物２に記載された事項の「液口栓４」は、その名称から「液口」を塞ぐものであることは明らかであるから、引用発明の「リベット６」と、「液口」（引用発明の「電解液注入孔５」に相当。）を塞ぐ点で共通するものである。
　そこで、引用発明の「電解液注入孔５」において、刊行物２に記載された事項の「ねじ部２」の如く、「ねじ部２の上面２ａが、蓋６の上面から突出しており、蓋６の上面と同じ高さの蓋６の周縁部及び電槽の開口縁部よりも、ねじ部２の軸線に沿い外側を向く軸線外側方向に位置する」ことを適用できるか否かを検討する。
　まず、引用発明の「リベット６」と刊行物２に記載された事項の「液口栓４」との固定方法を比較するに、引用発明の「リベット６」は、その「軸部６ａ」が「電解液注入孔５に挿通され」、「カシメ固定され」るものであって、一度封止するとそのまま封止しておくことが前提となるものであるのに対し、引用例２に記載された事項の「液口栓４」は、「ねじ部２」に「螺合される」ものであるから、開栓及び閉栓自在のものといえる。つまり、刊行物２に記載された事項の「ねじ部２」は、ねじにより開栓及び閉栓をするために作られたものであって、引用発明のようにリベットにより封止するために設けられたものではないから、両者の封止方法は大きく異なるものである。
　そうすると、引用発明において、刊行物２に記載された事項の「ねじ部２の上面２ａが、」「蓋６の周縁部及び電槽の開口縁部よりも、ねじ部２の軸線に沿い外側を向く軸線外側方向に位置する」事項を採用することは、引用発明の「リベット６」と刊行物２に記載された事項の「液口栓４」との固定方法の違いに照らせば、その動機があるとはいえないから、当業者が容易になし得たことであるとはいえない。
　また、仮に上記採用が可能だったとしても、上記（コ）で検討したとおり、引用発明は、「封口板２」の外縁部が突出しているのか平坦であるのか不明であって、「蓋６の上面」と「蓋６の周縁部」が同じ高さのものである刊行物２に記載された事項とは、この点でも相違するものであるから、引用発明の「環状凸部７」を、「封口板２」の周縁部及び「外装缶１の上方開口部」よりも、「電解液注入孔５」の軸線に沿い外側を向く軸線外側方向に位置することは、当業者が容易になし得たこととはいえない。
　刊行物３には、「外装缶１の開口部を蓋板２で塞いでなる角形密閉式電池において、蓋板２は、電解液の注入口５を備え、強度を確保し、溶接封口工程で電極に押圧されることによる変形を抑えるために、電解液の注入口５の周縁の形状は、外方に向かって突出する凸形状とされており、この蓋板２の突部７に注入口５が形成された形になっており、突部７は、蓋板の上面と同じ高さの蓋板２の周縁部及び外装缶１の開口縁部よりも、注入口５の軸線に沿い外側を向く軸線外側方向に位置し、電池を作製する際には、蓋板２に設けた注入口５より電解液を注入した後、注入口５に金属球８を載せ、電極棒９で押圧しながら電流を流し、金属球８を溶かして溶接封口する事項」（上記「４」「（３）」「ク」参照。）が記載されている。
　まず、引用発明の「リベット６」と刊行物３に記載された事項の「溶接封口」とを比較するに、前者は、その「軸部６ａ」が「電解液注入孔５に挿通され」、「カシメ固定され」るものであるのに対し、後者は、「注入口５に金属球８を載せ、電極棒９で押圧しながら電流を流し、金属球８を溶か」すためのものであり、両者の封止方法は大きく異なるものである。
　また、引用発明の「環状凸部７」と刊行物３に記載された事項の「突部７」とを比較するに、前者は、「ガスケット８の内周部分８ａが部分的に強く圧縮」するためのものであるのに対し、後者は、「強度を確保し、溶接封口工程で電極に押圧されることによる変形を抑えるため」に設けられたものであり、両者の目的は大きく異なるものである。
　そうすると、引用発明において、刊行物３に記載された「突部７は、」「蓋板２の周縁部及び外装缶１の開口縁部よりも、注入口５の軸線に沿い外側を向く軸線外側方向に位置」事項を採用することは、引用発明の「リベット６」と刊行物３に記載された事項の「溶接封口」との封止方法及び目的の違いに照らせば、その動機があるとはいえないから、当業者が容易になし得たことであるとはいえない。
　また、仮に上記採用が可能だったとしても、上記（コ）で検討したとおり、引用発明は、「封口板２」の外縁部が突出しているのか平坦であるのか不明であって、「蓋板の上面」と「蓋板２の周縁部」が同じ高さである刊行物３に記載された事項とは、この点でも相違するから、引用発明の「環状凸部７」を、「封口板２」の周縁部及び「外装缶１の上方開口部」よりも、「電解液注入孔５」の軸線に沿い外側を向く軸線外側方向に位置することは、当業者が容易になし得たこととはいえない。
　刊行物４には、「電槽１の上端開口部を電槽蓋２で塞いだ鉛蓄電池において、電槽蓋２には、６箇所の注液口２ａが開口しており、注液口２ａには、液栓５が装着され、液栓５は、上端部の円盤状の頭部５ａと、この頭部５ａの下方に突出する筒部５ｂと、この筒部５ｂの上部外周に形成された雄ねじ部５ｃとからなり、液栓５は、筒部５ｂを電槽蓋２の注液口２ａに挿入し、頭部５ａを回すことにより雄ねじ部５ｃを注液口２ａの雌ねじ部２ｂにねじ込んで装着し、頭部５ａをパッキン６を介して注液口２ａの周縁部に圧接することにより封口し、電槽蓋２の注入口２ａの周辺部は、電槽蓋２の表面よりも突出しており、電槽蓋２の上面と同じ高さの電槽蓋２の周縁部及び電槽１の開口縁部よりも、注入口２ａの軸線に沿い電槽蓋２の外側を向く軸線外側方向に位置する事項」（上記「４」「（４）」「ケ」参照。）が記載されている。
　ここで、刊行物４に記載された事項の「液栓５」と引用発明の「リベット６」とは、「注液口２ａ」（引用発明では、「電解液注入孔５」に相当。）を塞ぐ点で共通するものである。
　そこで、引用発明の「電解液注入孔５」において、刊行物４に記載された事項の「注入口２ａの周辺部」の如く、「電槽蓋２の注入口２ａの周辺部は、電槽蓋２の表面よりも突出しており、電槽蓋２の高さと同じ高さの電槽蓋２の周縁部及び電槽１の開口縁部よりも、注入口２ａの軸線に沿い外側を向く軸線外側方向に位置する」ことを適用できるか否かを検討する。
　まず、引用発明の「リベット６」と刊行物４に記載された事項の「液栓５」との固定方法を比較するに、引用発明の「リベット６」は、その「軸部６ａ」が「電解液注入孔５に挿通され」、「カシメ固定され」るものであって、一度封止するとそのまま封止しておくことが前提となるものであるのに対し、刊行物４に記載された事項の「液栓５は、筒部５ｂを電槽蓋２の注液口２ａに挿入し、頭部５ａを回すことにより雄ねじ部５ｃを注液口２ａの雌ねじ部２ｂにねじ込んで装着」するものであって、ねじによる固定であるから開栓及び閉栓自在のものである。つまり、刊行物４に記載された事項の「液栓５」は、ねじにより開栓及び閉栓をするために作られたものであって、引用発明のようにリベットにより封止するために設けられたものではない。
　そうすると、引用発明において、刊行物４に記載された「電槽蓋２の注入口２ａの周辺部は、」「電槽蓋２の周縁部及び電槽１の開口縁部よりも、注入口２ａの軸線に沿い外側を向く軸線外側方向に位置する」事項を採用することは、引用発明の「リベット６」と刊行物４に記載された事項の「液栓５」との固定方法の違いに照らせば、その動機があるとはいえないから、当業者が容易になし得たことであるとはいえない。
　また、仮に上記採用が可能だったとしても、上記（コ）で検討したとおり、引用発明は、「封口板２」の外縁部が突出しているのか平坦であるのか不明であって、「電槽蓋２の上面」と「電槽蓋２の周縁部」が同じ高さのものである刊行物４に記載された事項とは、この点でも相違するものであるから、引用発明の「環状凸部７」を、「封口板２」の周縁部及び「外装缶１の上方開口部」よりも、「電解液注入孔５」の軸線に沿い外側を向く軸線外側方向に位置することは、当業者が容易になし得たこととはいえない。
　以上から、上記イの相違点に係る構成は、刊行物２〜４に記載された事項から、当業者が容易になし得たものということはできない。
　したがって、上記アの相違点について検討するまでもなく、本件特許発明１は、引用発明及び刊行物２〜４に記載された事項から、当業者が容易になし得たものではない。
（２）本件特許発明２〜４について
　本件特許発明２〜４は、本件特許発明１を更に減縮したものであるから、上記「（１）本件特許発明１について」で述べた理由と同様の理由により、引用発明及び刊行物２〜５に記載された事項から、当業者が容易になし得たものではない。
　以上のとおり、本件特許発明１〜４は、引用発明及び刊行物２〜５に記載された事項から、当業者が容易になし得たものではない。
６　むすび
　したがって、特許異議申立ての理由及び証拠によっては、請求項１〜４に係る特許を取り消すことはできない。　
　また、他に請求項１〜４に係る特許を取り消すべき理由を発見しない。
　よって、結論のとおり決定する。
【異議決定日】
平成２８年７月２２日（２０１６．７．２２）